(57)【特許請求の範囲】
【請求項１】
複数の選択位置で停止する回動可能な操作ノブが装着される開口部を有するパネル本体の前記開口部の周囲に、前記選択位置を示す円環状の表示板を配置して成る操作パネルにおいて、
前記表示板の円環状の表示部の内周縁と外周縁を裏側に折り曲げて折曲部をそれぞれ形成し、前記パネル本体に、前記表示板の折曲部を保持する円筒状の保持部を形成し、該保持部の内周と外周の各側壁に複数の第１溶着リブを周方向に所定の間隔を設けてそれぞれ形成し、該第１溶着リブを前記表示板の折曲部に超音波溶着によって接合したことを特徴とする操作パネル。
【請求項２】
前記第１溶着リブを、前記パネル本体の保持部の内筒頂部に近い側より遠い側に向かって裾広がりに形成したことを特徴とする請求項１記載の操作パネル。
【請求項３】
前記パネル本体の保持部の円筒頂面の外周縁と内周縁に第２溶着リブを前記表示板の表示部に向かってそれぞれ突設し、該第２溶着リブを前記表示板の表示部の裏面に超音波溶着によって接合したことを特徴とする請求項１又は２記載の操作パネル。
【請求項４】
前記表示板の表示部に透光性のシンボル部を設け、前記第２溶着リブの前記シンボル部に対応する位置に切欠き部を形成したことを特徴とする請求項３記載の操作パネル。
【請求項５】
前記パネル本体の保持部の内周部と外周部に段差部をそれぞれ形成し、該段差部の奥行長さを前記表示板の折曲部の奥行長さよりも大きく設定したことを特徴とする請求項１〜４の何れかに記載の操作パネル。
【発明の詳細な説明】
【技術分野】
【０００１】
本発明は、複数の選択位置で停止する回動可能な操作ノブを装着して成る操作パネルに関するものである。
【背景技術】
【０００２】
例えば、車両には、空調装置の温度調節や風量調節を行うための切換手段としての回動型の操作ノブを装着して成る操作パネルが設けられている。この操作パネルは、操作ノブを装着するための開口部が形成されたパネル本体の前記開口部の周囲に、操作ノブの選択位置を示す円環状の表示板を配置して構成されている。
【０００３】
斯かる操作パネルにおいては、従来、パネル本体の前面に円環状の表示板が貼着されている（例えば、特許文献１参照）。
【先行技術文献】
【特許文献】
【０００４】
【特許文献１】特許第３７７９４７２号公報
【発明の概要】
【発明が解決しようとする課題】
【０００５】
しかしながら、従来のようにパネル本体の前面に円環状の表示板を貼着する構成を採用すると、表示板の縁部（見切線）が現れてしまうため、操作パネルの外観性の低下を招くという問題があった。
【０００６】
上記問題を解決する方法の１つとして、見切線が見えないように表示板に絞り加工を施し、該表示板の周縁部を裏面側に折り曲げて折曲部を形成する方法があるが、表示板の折曲部を貼着によってパネル本体に固定する場合、組付方向と貼着面とが平行となるために表示板の組み付けが困難であり、表示板の円環状の表示部のみがパネル本体に固定されるという問題がある。そして、表示板の折曲部がパネル本体に固定されていないと、その端部が浮き上がり、表示板の折曲部とパネル本体との間に隙間ができ、異音の発生や光漏れ等の問題が発生する。
【０００７】
周縁部に絞り加工が施された表示板をパネル本体に固定する別の方法としては、インサート成形によって表示板とパネル本体を一体的に形成する方法があるが、この方法ではインサート成形のための金型が複雑化し、型費が嵩むという問題がある。
【０００８】
本発明は上記問題に鑑みてなされたもので、その目的とする処は、安価で見栄えの良い操作パネルを提供することにある。
【課題を解決するための手段】
【０００９】
上記目的を達成するため、請求項１記載の発明は、複数の選択位置で停止する回動可能な操作ノブが装着される開口部を有するパネル本体の前記開口部の周囲に、前記選択位置を示す円環状の表示板を配置して成る操作パネルにおいて、前記表示板の円環状の表示部の内周縁と外周縁を裏側に折り曲げて折曲部をそれぞれ形成し、前記パネル本体に、前記表示板の折曲部を保持する円筒状の保持部を形成し、該保持部の内周と外周の各側壁に複数の第１溶着リブを周方向に所定の間隔を設けてそれぞれ形成し、該第１溶着リブを前記表示板の折曲部に超音波溶着によって接合したことを特徴とする。
【００１０】
請求項２記載の発明は、請求項１記載の発明において、前記第１溶着リブを、前記パネル本体の保持部の内筒頂部に近い側より遠い側に向かって裾広がりに形成したことを特徴とする。
【００１１】
請求項３記載の発明は、請求項１又は２記載の発明において、前記パネル本体の保持部の円筒頂面の外周縁と内周縁に第２溶着リブを前記表示板の表示部に向かってそれぞれ突設し、該第２溶着リブを前記表示板の表示部の裏面に超音波溶着によって接合したことを特徴とする。
【００１２】
請求項４記載の発明は、請求項３記載の発明において、前記表示板の表示部に透光性のシンボル部を設け、前記第２溶着リブの前記シンボル部に対応する位置に切欠き部を形成したことを特徴とする。
【００１３】
請求項５記載の発明は、請求項１〜４の何れかに記載の発明において、前記パネル本体の保持部の内周部と外周部に段差部をそれぞれ形成し、該段差部の奥行長さを前記表示板の折曲部の奥行長さよりも大きく設定したことを特徴とする。
【発明の効果】
【００１４】
請求項１記載の発明によれば、パネル本体に予め形成した第１溶着リブと表示板の折曲部とを超音波溶着によって接合すれば良いため、パネル本体の保持部側壁での表示板の固定が可能となり、見切り線が見えないように内周縁と外周縁を裏側に折り曲げて折曲部を形成した表示板であっても、該折曲部をパネル本体に確実に固定してその浮き上がりを防ぐことができ、安価で見栄えの良い操作パネルを得ることができる。
【００１５】
請求項２記載の発明によれば、第１溶着リブのパネル本体の保持部の円筒頂部に近い側は、表示板とパネル本体との隙間に入り、表示板の折曲部の側面とパネル本体とが溶着される。又、第１溶着リブのパネル本体保持部の円筒頂部から遠い側は、表示板の折曲部の端面に溶着される。このように１つの第１溶着リブで表示板の折曲部の側面と端面の２面がパネル本体に溶着されるため、表示板がパネル本体に一層確実に固定される。そして、このように第１溶着リブによって表示板の折曲部の端面と共に側面でもパネル本体に溶着するようにすれば、表示板やパネル本体の形状や寸法のバラツキの影響を受けることなく表示板の折曲部をパネル本体に確実に固定することができる。因みに、表示板を折曲部の端面だけでパネル本体に溶着する場合には、パネル本体の第１溶着リブと表示板の折曲部端面とが接しないために両者を溶着することができない場合がある。
【００１６】
請求項３記載の発明によれば、パネル本体の保持部の円筒頂部の外周縁と内周縁に第２の溶着リブが表示板の表示部の裏面に超音波溶着によって接合されるため、表示板がパネル本体に一層強固に固定される。
【００１７】
請求項４記載の発明によれば、パネル本体の第２溶着リブの表示板側のシンボル部に対応する位置に切欠き部を形成したため、この切欠き部においては第２リブが超音波溶着によって溶けて表示板と溶着面を形成することがなく、表示板のシンボル部の遮光性が溶着面によって損なわれることがない。
【００１８】
請求項５記載の発明によれば、パネル本体の保持部の内周部と外周部に段差部をそれぞれ形成し、該段差部の奥行き長さを表示板の折曲部の奥行き長さよりも大きく設定したため、第２溶着リブが表示板の表示部裏面に常に確実に当接して両者が超音波溶着され、表示板の表示部のパネル本体への固定が確実になされる。
【図面の簡単な説明】
【００１９】
【図１】本発明に係る操作パネルの正面図である。
【図２】本発明に係る操作パネルの分解斜視図である。
【図３】本発明に係る操作パネルのパネル本体の正面図である。
【図４】本発明に係る操作パネルのパネル本体に設けられた保持部の斜視図である。
【図５】図４のＡ部拡大詳細図である。
【図６】図４のＢ部拡大詳細図である。
【図７】図４のＣ部拡大詳細図である。
【図８】本発明に係る操作パネルの部分平断面図である。
【図９】本発明に係る操作パネルの表示板をパネル本体に接合する前の状態を示す部分平断面図である。
【図１０】本発明に係る操作パネルの表示板をパネル本体に接合した後の状態を示す部分平断面図である。
【発明を実施するための形態】
【００２０】
以下に本発明の実施の形態を添付図面に基づいて説明する。
【００２１】
図１は本発明に係る操作パネルの正面図、図２は同操作パネルの分解斜視図、図３は同操作パネルのパネル本体の正面図であり、図１に示す操作パネル１は、車載の不図示の空調装置をコントロールするためのものであって、その前面には左から順に送風モード切替用スイッチ２、風量調節用スイッチ３、温度調節用スイッチ４が横方向に並設されている。又、操作パネル１の前面下部の幅方向中央部には、左からリアデフスイッチ５、エアコンスイッチ６、内外気切替スイッチ７が横方向に並設されている。尚、これらのリアデフスイッチ５とエアコンスイッチ６及び内外気切替スイッチ７は押圧式の角形スイッチであって、リアデフスイッチ５は、リアウインドに張設された不図示の熱線に通電して該熱線を加熱することによってリアウインドの曇りを取り除くためのものであり、エアコンスイッチ６は、エアコンモードを切り替えるためのものである。又、内外気切替スイッチ７は、車室内での内気循環と車室内への外気導入を切り替えるためのものである。
【００２２】
ところで、図１に示す操作パネル１においては、図２及び図３に示す樹脂製のパネル本体８の前面の外部に露出する部分（前記各種スイッチ２〜７を除く部位）には逆台形板状の外観パネル９が被着されており、操作パネル１の背面側には不図示の光源が配置されている。
【００２３】
前記送風モード切替用スイッチ２と風量調節用スイッチ３及び温度調節用スイッチ４は、ダイヤル式の丸形スイッチであって、これらには複数の選択位置で停止する回動可能な操作ノブ１０がそれぞれ設けられており、各操作ノブ１０の先端部には、操作位置を指すための細長い指標部１１がそれぞれ設けられている。これらの指標部１１は、透光性材料によって構成されており、これらが不図示の光源からの光を前面側に透光させることによって各操作ノブ１０の操作位置が示される。
【００２４】
図２及び図３に示す前記パネル本体８は、ＰＣＡＢＳ等の樹脂によって一体成形されており、これには前記送風モード切替用スイッチ２と風量調節用スイッチ３及び温度調節用スイッチ４に対応して３つの円筒状の保持部８Ａが横方向に一体に形成されている。そして、各保持部８Ａの中心に開口する円孔状の開口部８ａには前記各操作ノブ１０がそれぞれ回動可能に装着されている。
【００２５】
又、図２及び図３に示すように、パネル本体８の下部中央部には横方向に細長い矩形枠状のハウジング８Ｂが一体に形成されており、このハウジング８Ｂには前記リアデフスイッチ５、エアコンスイッチ６及び内外気切替スイッチ７をそれぞれ装着するための矩形孔８ｂ，８ｃ，８ｄがそれぞれ形成されている。
【００２６】
而して、パネル本体８の円筒状の３つの保持部８Ａの各開口部８ａの周囲には、各操作ノブ１０の選択位置を示す円環状の表示板１２，１３，１４が後述のように超音波溶着によってそれぞれ接合固定される。ここで、各表示板１２〜１４はＰＣ等の透光性のシートによって構成されているが、図１及び図２に示すように、各表示板１２〜１４には、操作位置を示す絵や文字、数字等のシンボルが透光性のインクによって印刷された円環状の表示部１２ａ，１３ａ，１４ａがそれぞれ設けられている。そして、図２に示すように、各表示板１２〜１４の表示部１２ａ〜１４ａの内周縁と外周縁には、絞り加工によって裏側に折り曲げられた折曲部１２ｂ〜１４ｂ，１２ｃ〜１４ｃがそれぞれ形成されており、外周側の各折曲部１２ｃ〜１４ｃの頂部には位置決め凸部１２ｄ〜１４ｄがそれぞれ一体に形成されている。ここで、各表示板１２〜１４の表示部１２ａ〜１４ａの内外周縁にそれぞれ形成された折曲部１２ｂ〜１４ｂ，１２ｃ〜１４ｃは、パネル本体８に一体に形成された３つの各保持部８Ａによってそれぞれ保持される。又、パネル本体８の各保持部８Ａの外周の頂部には、各表示板１２〜１４の折曲部１２ｃ〜１４ｃの各頂部に形成された前記位置決め凸部１２ｄ〜１４ｄが係合するための位置決め用溝８ｅがそれぞれ形成されている。
【００２７】
ところで、図１及び図２に示すように、送風モード切替用スイッチ２の表示板１２の表示部１２ａには、温風や冷風の吹出箇所や噴出方向を示す絵がシンボル部として表示され、風量調節用スイッチ３の表示板１３の表示部１３ａには、ファンの絵と風量の大きさを示す「０」〜「４」の数字がシンボル部として表示され、温度調節用スイッチ４の表示板１４の表示部１４ａには、「ＭＡＸ  Ａ／Ｃ」の文字と温度の高低を示す目盛りがシンボル部として表示されている。これらの表示板１２〜１４の各表示部１２ａ〜１４ａにおいては、シンボル部以外の部分は遮光性インクによって印刷されているため、シンボル部のみが光を通し、このシンボル部が明るく表示される。
【００２８】
又、図２に示すように、パネル本体８の３つの保持部８Ａの背面には、各操作ノブ１０の先端部にそれぞれ設けられた前記指標部１１を透過する光を調整するための調光シート１５がその周囲を両面テープ１６によって接着することによって取り付けられている。尚、本実施の形態では、各調光シート１５はＰＣ等の樹脂によって構成されており、その中心には各操作ノブ１０の不図示の回動軸が貫通するための円孔状の貫通孔１５ａがそれぞれ形成されている。
【００２９】
次に、パネル本体８に形成された３つの保持部８Ａのうち、温度調節用スイッチ４に対応する１つの保持部８Ａの構成と該保持部８Ａへの表示板１４の接合構造及び接合方法を図４〜図１０に基づいて以下に説明する。尚、パネル本体８の他の２つの保持部８Ａの構成とこれらの保持部８Ａへの表示板１２，１３の接合構造及び接合方法は同じであるため、これらについての説明は省略する。
【００３０】
図４はパネル本体に設けられた保持部の斜視図、図５は図４のＡ部拡大詳細図、図６は図４のＢ部拡大詳細図、図７は図４のＣ部拡大詳細図、図８は操作パネルの部分平断面図、図９は表示板をパネル本体に接合する前の状態を示す部分平断面図、図１０は表示板をパネル本体に接合した後の状態を示す部分平断面図である。
【００３１】
図４に示すように、パネル本体８に一体に形成された円筒状の保持部８Ａは、表示板１４の表示部１４ａの内外周縁にそれぞれ形成された折曲部１４ｂ，１４ｃを接合保持するものであって、これには内外二重筒状の内筒１７と外筒１８が形成されている。ここで、保持部８Ａの内周面（開口部８ａの内周面）と内筒１７との間には、操作ノブ１０を位置決めするための円環状の装着溝１９が形成されており、内周面（開口部８ａの内周面）の縁部には、操作ノブ１０のガタツキ防止と光漏れ防止用の円環状の凸部２０が一体に形成されている。そして、保持部８Ａの内周面の一部には、操作ノブ１０の回動を規制するためのストッパ２１が一体に突設されている。
【００３２】
又、保持部８Ａの内筒１７と外筒１８の間の円環状の空間の表示板１４のシンボル部（「ＭＡＸ  Ａ／Ｃ」の文字と温度の目盛り）に対応する位置には開口部２２がそれぞれ形成されており、不図示の光源からの光が開口部２２を通過して表示板１４の各シンボル部を照らして照明する。
【００３３】
ところで、パネル本体８の保持部８Ａの内筒１７は、表示板１４の内周縁に形成された内側の折曲部１４ｂを接合保持するためのものであって、その内周には、表示板１４の内側の折曲部１４ｂの外周面が嵌合するための大径（内筒１７の内周径よりも折曲部１４ｂの板厚分だけ大径）の段差部１７ａが形成されており、この段差部１７ａの端面（内筒１７の内周面との段差面）には図５に示すような複数の第１溶着リブ２３が周方向に所定の間隔を設けて一体に形成されている。ここで、内筒１７の内周に形成された段差部１７ａの奥行長さＬ１は、表示板１４の内側の折曲部１４ｂの奥行長さＬ２よりも長く設定されている（図９参照）。又、図５に詳細に示すように、第１溶着リブ２３は、保持部８Ａの内筒１７の頂部（前端面）に近い側より遠い側に向かって裾広がりに形成されている。
【００３４】
又、パネル本体８の保持部８Ａの外筒１８は、表示板１４の外周縁に形成された外側の折曲部１４ｃを接合保持するためのものであって、その外周には、表示板１４の外側の折曲部１４ｃの内周面が嵌合するための小径（外筒１８の外径よりも折曲部１４ｃの板厚分だけ小径）の段差部１８ａが形成されており、この段差部１８ａの端面（外筒１８の外周面との段差面）には図６に示すような複数の第１溶着リブ２３が周方向に所定の間隔を設けて一体に形成されている。ここで、外筒１８の外周に形成された段差部１８ａの奥行長さＬ１は、表示板１４の外側の折曲部１４ｃの奥行長さＬ２よりも長く設定されている（図９参照）。又、図６に詳細に示すように、第１溶着リブ２３は、保持部８Ａの外筒１８の頂部（前端面）に近い側より遠い側に向かって裾広がりに形成されている。
【００３５】
更に、図４に示すように、パネル本体８の保持部８Ａの内筒１７と外筒１８の先端縁には三角リブ状（図７参照）の第２溶着リブ２４が表示板１４の表示部１４ａに向かってそれぞれ突設されており、これらの第２溶着リブ２４は、表示板１４の表示部１４ａに設けられた透光性のシンボル部「ＭＡＸ  Ａ／Ｃ」に対応する位置が部分的に切り欠かれて切欠き部２４ａが形成されている。
【００３６】
而して、表示板１４は、パネル本体８の保持部８Ａに超音波溶着によって接合されるが、その接合方法と接合構造を図９及び図１０に基づいて以下に説明する。
【００３７】
図９に示すように、表示板１４をその折曲部１４ｂ，１４ｃを先にしてパネル本体８の保持部８Ａに図示矢印方向（前面側）から嵌め込む。このとき、表示板１４の外側の折曲部１４ｃに形成された位置決め凸部１４ｄをパネル本体８の保持部８Ａの外周に形成された位置決め用溝８ｅに係合させることによって、表示板１４の周方向の位置決めがなされる。
【００３８】
上述のように表示板１４がパネル本体８の保持部８Ａに嵌め込まれると、図１０に示すように、表示板１４の折曲部１４ｂ，１４ｃのうち、内側の折曲部１４ｂの外周面がパネル本体８の内筒１７の内周に形成された大径の段差部１７ａに嵌合し、その端面と内周が保持部８Ａの内筒１７の段差面に周方向に形成された複数の第１溶着リブ２３に当接する。又、表示板１４の外側の折曲部１４ｃの内周面がパネル本体８の外筒１８の外周に形成された小径の段差部１８ａに嵌合し、その端面と内周面が保持部８Ａの外筒１８の段差面に周方向に形成された複数の第１溶着リブ２３に当接する。ここで、パネル本体８の内筒１７と外筒１８にそれぞれ形成された段差部１７ａ，１８ａの高さ（深さ）は表示板１４の折曲部１４ｂ，１４ｃの板厚に等しいため、表示板１４の折曲部１４ｂ，１４ｃがパネル本体８の保持部８Ａの内筒１７と外筒１８の各段差部１７ａ，１８ａに嵌合した状態では、該折曲部１４ｂの内周面と内筒１７の内周面及び折曲部１４ｃの外周面と外筒１８の外周面とは段差の無い連続した面（面一の面）を形成する。
【００３９】
上述のように表示板１４の内外の折曲部１４ｂ，１４ｃがパネル本体８の保持部８Ａの内筒１７と外筒１８にそれぞれ嵌合すると、図１０に示すように、表示板１４の表示部１４ａの裏面がパネル本体８の保持部８Ａの内筒１７と外筒１８の頂部端面（先端面）にそれぞれ形成された第２溶着リブ２４に当接する。このとき、前述のようにパネル本体８の保持部８Ａの内筒１７と外筒１８にそれぞれ形成された段差部１７ａ，１８ａの奥行長さＬ１を表示板１４の折曲部１４ｂ，１４ｃの奥行長さＬ２よりも大きく設定したため（Ｌ１＞Ｌ２）、表示板１４の折曲部１４ｂ，１４ｃの端面が図１０に示すようにパネル本体８の保持部８Ａに形成された内筒１７と外筒１８の段差面に当接することがなく、表示板１４の表示部１４ａの裏面が第２溶着リブ２４に確実に接触する。
【００４０】
而して、以上のように表示板１４の内外の折曲部１４ｂ，１４ｃがパネル本体８の第１溶着リブ２３に接触するとともに、表示板１４の表示部１４ａの裏面がパネル本体８の第２溶着リブ２４に接触すると、パネル本体８の第１溶着リブ２３と第２溶着リブ２４が超音波溶着によって表示板１４の折曲部１４ｂ，１４ｃと表示部１４ａの裏面に接合され、表示板１４がパネル本体８の保持部８Ａに固定される。超音波溶着においては、表示板１４の周り全体が不図示のホーンによって覆われ、該ホーンによって表示板１４がパネル本体８側に押圧され、その状態で表示板１４にはホーンによって超音波振動が与えられる。すると、パネル本体８の第１溶着リブ２３と第２溶着リブ２４が溶融し、表示板１４の折曲部１４ｂ，１４ｃと表示部１４ａの裏面がパネル本体８の保持部８Ａに接合されて固定される。
【００４１】
以上のように、本実施の形態に係る操作パネル１においては、パネル本体８に予め形成した第１溶着リブ２３と表示板１４の折曲部１４ｂ，１４ｃとを超音波溶着によって接合すれば良いため、パネル本体８の保持部８Ａの側壁での表示板１４の固定が可能となり、見切り線が見えないように内周縁と外周縁を裏側に折り曲げて折曲部１４ｂ，１４ｃを形成した表示板１４であっても、該折曲部１４ｂ，１４ｃをパネル本体８に確実に固定してその浮き上がりを防ぐことができ、安価で見栄えの良い操作パネル１を得ることができる。
【００４２】
そして、本実施の形態では、パネル本体８の保持部８Ａに設けられた第１溶着リブ２３を、パネル本体８の保持部８Ａの円筒頂部に近い側より遠い側に向かって裾広がりに形成したため、該第１溶着リブ２３のパネル本体８の保持部８Ａの円筒頂部に近い側は、表示板１４とパネル本体８との隙間に入り、表示板１４の折曲部１４ｂ，１４ｃの側面とパネル本体８とが溶着される。又、第１溶着リブ２３のパネル本体８の保持部８Ａの円筒頂部から遠い側は、表示板１４の折曲部１４ｂ，１４ｃの端面に溶着される。従って、１つの第１溶着リブ２３で表示板１４の折曲部１４ｂ，１４ｃの側面と端面の２面がパネル本体８に溶着されるため、表示板１４がパネル本体８に一層確実に固定される。そして、このように第１溶着リブ２３によって表示板１４の折曲部１４ｂ，１４ｃの端面と共に側面でもパネル本体８に溶着するようにすれば、表示板１４やパネル本体８の形状や寸法のバラツキの影響を受けることなく表示板１４の折曲部１４ｂ，１４ｃをパネル本体８に確実に固定することができる。因みに、表示板１４を折曲部１４ｂ，１４ｃの端面だけでパネル本体８に溶着する場合には、パネル本体８の第１溶着リブ２３と表示板１４の折曲部１４ｂ，１４ｃの端面とが接しないために両者を溶着することができない場合がある。
【００４３】
又、本実施の形態では、パネル本体８の保持部８Ａの内筒１７と外筒１８の先端縁に形成された第２の溶着リブ２４が表示板１４の表示部１４ａの裏面に超音波溶着によって接合されるため、表示板１４がパネル本体８に一層強固に固定される。そして、本実施の形態では、パネル本体８の保持部８Ａの内筒１７と外筒１８に段差部１７ａ，１８ａをそれぞれ形成し、該段差部１７ａ，１８ａの奥行長さＬ１を表示板１４の折曲部１４ｂ，１４ｃの奥行長さＬ２よりも大きく設定したため（Ｌ１＞Ｌ２）、第２溶着リブ２３が表示板１４の表示部１４ａの裏面に常に確実に当接して両者が超音波溶着され、表示板１４の表示部１４ａのパネル本体８への固定が確実になされる。
【００４４】
更に、本実施の形態では、パネル本体８の第２溶着リブ２４の表示板１４側のシンボル部に対応する位置に切欠き部２４ａを形成したため、この切欠き部２４ａにおいては第２リブ２４が超音波溶着によって溶けて表示板１４と溶着面を形成することがなく、表示板１４のシンボル部の透光性が溶着面によって損なわれることがなく、シンボル部は光源の光の透過によって明るく光り、その視認性が高められるという効果が得られる。
【００４５】
尚、以上は本発明を車載の空調装置をコントロールするための操作パネルに対して適用した形態について説明したが、本発明は、複数の選択位置で停止する回動可能な操作ノブを装着して成る他の任意の操作パネルに対しても同様に適用可能であることは勿論である。
【符号の説明】
【００４６】
１              操作パネル
２              送風モード切替用スイッチ
３              風量調節用スイッチ
４              温度調節用スイッチ
５              リアデフスイッチ
６              エアコンスイッチ
７              内外気切替スイッチ
８              パネル本体
８Ａ            パネル本体の保持部
８Ｂ            パネル本体のハウジング
８ａ            パネル本体の開口部
８ｂ〜８ｄ      パネル本体の矩形孔
８ｅ            パネル本体の位置決め用溝
９              外観パネル
１０            操作ノブ
１１            操作ノブの指標部
１２〜１４      表示板
１２ａ〜１４ａ  表示板の表示部
１２ｂ〜１４ｂ  表示板の内側の折曲部
１２ｃ〜１４ｃ  表示板の外側の折曲部
１２ｄ〜１４ｄ  表示板の位置決め凸部
１５            調光シート
１５ａ          調光シートの貫通孔
１６            両面テープ
１７            パネル本体の保持部の内筒
１７ａ          内筒の段差部
１８            パネル本体の保持部の外筒
１８ａ          外筒の段差部
１９            パネル本体の装着溝
２０            パネル本体の凸部
２１            パネル本体のストッパ
２２            パネル本体の開口部
２３            パネル本体の第１溶着リブ
２４            パネル本体の第２溶着リブ
Ｌ１            パネル本体の段差部の奥行長さ
Ｌ２            表示板の折曲部の奥行長さ
【図１】
0005761801.tif 000002
【図２】
0005761801.tif 000003
【図３】
0005761801.tif 000004
【図４】
0005761801.tif 000005
【図５】
0005761801.tif 000006
【図６】
0005761801.tif 000007
【図７】
0005761801.tif 000008
【図８】
0005761801.tif 000009
【図９】
0005761801.tif 000010
【図１０】
0005761801.tif 000011